(57)【要約】      （修正有）【課題】バストの形を美しく整えることができ、対称になる２つのカップの折り畳み収納が更に便利になるバックル式組み合わせブラジャーを提供する。【解決手段】バックル式組み合わせブラジャーは、主に対称になる２つのカップ１ａ、１ｂ及び円形バックル２を備え、円形バックル２により対称になる２つのカップ１ａ、１ｂがブラジャーとして連結される。円形バックル２は閉鎖または閉鎖に近似する形態を呈するバックルであり、対称になる２つのカップ１ａ、１ｂは隣接して向かい合う辺側に係着部１１ａ、１１ｂがそれぞれ設けられ、円形バックル２を貫通させて係合連結される。円形バックル２を連結部材として採用するため、使用者は円形バックル２により個々人の異なるバスト形状に合わせて、対称になる２つのカップ１ａ、１ｂの上下の相対角度を任意に回転調整可能である。【選択図】図２
0003220619.tif 000002
【実用新案登録請求の範囲】
【請求項１】
対称になる２つのカップ及び円形バックルを備え、
対称になる２つのカップは、２つのカップの隣接して向かい合う辺側に係着部がそれぞれ設けられ、前記係着部は前記円形バックルを貫通させつつ係合連結され、
円形バックルは、上述の対称になる２つのカップの係着部を同時に貫通させ、係合連結を形成させ、
上述の構成のバックル式組み合わせブラジャーは、前記円形バックルを対称になる２つのカップの連結部材とし、使用者個々の異なるバスト形状に応じて、対称になる２つのカップの上下の相対角度を回転調整可能であり、異なるバスト形状に適合させて着用固定されると共にバストの形を整え、且つ前記円形バックルの収納保管時には２つのカップを移動させて折り畳み収納が可能であることを特徴とするバックル式組み合わせブラジャー。
【請求項２】
前記円形バックルは閉鎖または閉鎖に近似する形態を呈するバックルであることを特徴とする請求項１に記載のバックル式組み合わせブラジャー。
【請求項３】
前記対称になる２つのカップの内面には粘性を有する１層の無毒シリカゲルが共に設けられ、外面は黏性がないことを特徴とする請求項１に記載のバックル式組み合わせブラジャー。
【請求項４】
前記外面はゴム材質であることを特徴とする請求項３に記載のバックル式組み合わせブラジャー。
【請求項５】
前記外面には布材質が結合され、布材質を有する外面が形成されることを特徴とする請求項３に記載のバックル式組み合わせブラジャー。
【請求項６】
前記対称になる２つのカップは、シリカゲル、発泡材、または布材質のいずれかからなり、或いは上述の２種類以上の材質で複合的に構成されることを特徴とする請求項１に記載のバックル式組み合わせブラジャー。
【請求項７】
前記対称になる２つのカップの各カップの上縁部及び下縁部は一定弧度のギャップを有することを特徴とする請求項１に記載のバックル式組み合わせブラジャー。
【考案の詳細な説明】
【技術分野】
【０００１】
本考案は、対称になる２つのカップ及び円形バックルが連結されて構成されるバックル式組み合わせブラジャーに関し、更に詳しくは、使用者が前記円形バックルを利用して２つのカップの相対角度を任意に回転調整させて着用固定可能であり、且つバストの形を美しく整え、対称になる２つのカップを折り畳み収納保管することが便利になるバックル式組み合わせブラジャーに関する。
【背景技術】
【０００２】
従来のヌーブラ（または粘着ブラとも呼ばれる）は、主に内側の粘着面（例えば、無毒シリカゲル）が胸部に直接粘着されて着用が完成するため、肩ひも及びサイドベルトが不要である。前記従来のヌーブラは通常２つのカップを備え、２つのカップの間には連結ホックが設けられて構成される。
【考案の概要】
【考案が解決しようとする課題】
【０００３】
従来の特許文献では、例えば、「スキンケア自己接着ブラジャーカップ」の考案が記載されている（特許文献１参照）。ブラジャー内面に保養材料が混合される１層の接着層が形成されるため、着用時に胸部と前記ブラジャー内面の接着層とが接触し、保養材料が混合される接着層が胸部の皮膚を長時間保養し、胸部の皮膚の美容効果を達成させる。しかしながら、従来の２つのカップを連結させる連結部（部材）は、通常共にオス及びメスのバックル構造となっており、上述の従来の特許の実施形態に記載されるものも同様である。
【０００４】
また、従来の特許文献では、例えば、「シリコンブラジャー」の考案が記載されている（特許文献２参照）。その係合セットも各シリカゲルカップの内側辺から延伸されるラグにそれぞれ設けられる（固定される）２つの係合部材を備え、これらが相互に係合されることでシリカゲルカップを連結させている。
【０００５】
なお、従来の特許文献では、例えば、「ブラの改善構造」の考案が記載されている。これも同様にカップの間がオス及びメスの係合部材により連結される（特許文献３参照）。
【０００６】
さらに、従来の特許文献では、例えば、「隠しブラジャー」の考案が記載されている。これも同様に、２つのカップの隣接端に簡易バックルが結合されることで隠しブラジャーが構成される（特許文献４参照）。
【先行技術文献】
【特許文献】
【０００７】
【特許文献１】台湾特許出願第I２9２３0４号公報
【特許文献２】台湾登録実用新案第M４３9３６１号公報
【特許文献３】台湾登録実用新案第M２9６６0６号公報
【特許文献４】台湾登録実用新案第M２8５9２４号公報
【０００８】
そこで、上述の従来の技術に記載される既知のヌーブラに常用される連結部材（または連結ホック、連結バックル、係合部材、オス及びメスのバックル、バックルとも称される）は、前記連結部材が横方向に係合される連結作用のみを有するため、対称になる２つのカップの間の上下の相対角度をスムーズに調整できず、個々の使用者の異なるバスト形状に合わせて着用可能にすることが難しく、バストの形を美しく整えることもできなかった。また、前記対称になる２つのカップは折り畳んで収納する際に、連結部材の形状の構造上の制限により、干渉しあってスムーズに折り畳んで収納することができず、収納保管も非常に不便であった。
【０００９】
本考案は、このような従来の問題に鑑みてなされたものである。上記課題解決のため、本考案は、バックル式組み合わせブラジャーを提供することを主目的とする。対称になる２つのカップ及び円形バックルを備え、特に円形バックルにより対称になる２つのカップがブラジャーとして連結される。前記対称になる２つのカップは隣接して向かい合う辺側に係着部がそれぞれ設けられ、円形バックルを貫通させて係合連結される。円形バックルを連結部材として採用するため、使用者は前記円形バックルを使用して個々人の異なるバスト形状に合わせて２つのカップの上下の相対角度を任意に回転調整し、個々人のバスト形状に完全に適合させて着用固定可能であり、バストの形も美しく整えることができる。また、バックルの円環の弧度を利用して２つのカップを素早くスムーズに移動させて折り畳み収納可能であり、これにより小さい丸箱内に更に簡単に収納保管可能になる。
【００１０】
本考案の他の目的は、バックル式組み合わせブラジャーを提供することにあって、前記円形バックルは閉鎖または閉鎖に近似する形態を呈するバックルであり、これを対称になる２つのカップの隣接して向かい合う辺側に設けられる係着部が貫通させることで係合連結され、その組み合わせも非常に簡易である。円環形状を採用するため、従来の連結部（部材）やオス及びメスの係合部材の突出する或いは構造上の制限から脱し、且つブラジャーが更に見えにくくなる美観効果を有する。
【００１１】
本考案のさらなる他の目的は、バックル式組み合わせブラジャーを提供することにあって、前記対称になる２つのカップの内面には共に粘性を有し、外面には粘性がない。前記外面はゴム材質であり、または布材質が結合されてもよく、布材質を有する外面が形成される。
【００１２】
本考案の又別の目的は、バックル式組み合わせブラジャーを提供することにあって、前記対称になる２つのカップとして、シリカゲル、発泡材、または布材質が選択されるか、或いは上述の２種類以上の材質で複合的に構成される。
【００１３】
本考案の又別の目的は、バックル式組み合わせブラジャーを提供することにあって、前記対称になる２つのカップは、各カップの上縁部及び下縁部が一定弧度のギャップを有する。これにより、着用後に下縁部がバストの下縁に貼り付き、上縁部に多く形成される隙間空間によりバスト形状が調整されて最良のバスト形状を形成させる。
【図面の簡単な説明】
【００１４】
【図１】本考案に係るブラジャーを例示する分解図である。
【図２】本考案のブラジャーを例示する組み合わせ図である。
【図３】本考案のブラジャーが２つのカップの上下の相対角度を調整する概略図である。
【図４】本考案のブラジャーが２つのカップが折り畳まれ収納される際の状態を示す概略図である。
【図５】本考案のいずれかの一つのカップを示す断面図である。
【図６】本考案の使用状態を示す概略図である。
【考案を実施するための形態】
【００１５】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１６】
次に、図１〜６を参照しながら、本考案をさらに詳しく説明する。まず、本考案の「バックル式組み合わせブラジャー」は、主に、対称になる２つのカップ１ａ、１ｂ及び円形バックル２を備える（図１及び図２参照）。
【００１７】
対称になる２つのカップ１ａ、１ｂは、２つのカップの隣接して向かい合う辺側に係着部１１ａ、１１ｂがそれぞれ設けられ、前記係着部１１ａ、１１ｂは前記円形バックル２を貫通させて係合連結させる。
【００１８】
また、円形バックル２は、対称になる２つのカップ１ａ、１ｂの係着部１１ａ、１１ｂを同時に貫通させ、対称になる２つのカップ１ａ、１ｂを係合連結される。
【００１９】
上述の構成によるバックル式組み合わせブラジャーは、円形バックル２を対称になる２つのカップ１ａ、１ｂの連結部材とするため、前記円形バックル２を利用して個々の使用者の異なるバスト形状に合わせて対称になる２つのカップ１ａ、１ｂの上下の相対角度を任意に回転調整可能になり（図３参照）、個々人の異なるバスト形状に完全に適合させて着用固定でき、バストの形を美しく整える。また、円形バックル２が円環弧度を有することで、２つのカップ１ａ、１ｂを素早くスムーズに移動させて折り畳み収納可能になり、折り畳まれた後に収容体積が縮小し（図４参照）、容易に収納保管可能になり、例えば、小さな丸箱内に収めて保管できる。
【００２０】
上述の円形バックル２は、閉鎖または閉鎖に近似する形態を呈するバックルとして実施され、対称になる２つのカップ１ａ、１ｂの係着部１１ａ、１１ｂを同時に貫通させて係合させることにより安定的に連結させる。その組み合わせは簡易であり、円環形状を採用するため、従来の連結部（部材）またはオス及びメスの係合部材の突出する或いは構造上の制限から脱し、ブラジャーがより見えにくくなる美観効果を有する。
【００２１】
上述の対称になる２つのカップ１ａ、１ｂの内面１２ａ、１２ｂには粘性を有する１層の無毒シリカゲルが共に設けられ、胸部に貼着される。外面１３ａ、１３ｂは粘性を有せず、前記外面１３ａ、１３ｂはゴム材質であり、または布材質が結合され、布材質を有する外面１３ａ、１３ｂが形成される。
【００２２】
なお、上述の対称になる２つのカップ１ａ、１ｂとして、シリカゲル、発泡材、または布材質が選択されて製造され、或いは上述の２種類以上の材質で複合的に構成される。
【００２３】
図５に示されるように、前記対称になる２つのカップは、各カップの上縁部１４及び下縁部１５が一定弧度のギャップＨを有する。これにより、着用後に下縁部１５がバストの下縁に貼り付けられ、上縁部１４がギャップＨにより区画形成される隙間空間によりバストを収めて調整可能になり、最良のバスト形状の被覆効果が得られ、最も美しいバスト形状が形成される（図６参照）。
【００２４】
以上を総合すると、本考案に係るバックル式組み合わせブラジャーは、特に円形バックルがヌーブラまたは粘着ブラに応用されるため、新規性及び進歩性の要件を満たす。
【００２５】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２６】
１ａ  カップ
１ｂ  カップ
２  円形バックル
１１ａ  係着部
１１ｂ  係着部
１２ａ  内面
１２ｂ  内面
１３ａ  外面
１３ｂ  外面
１４  上縁部
１５  下縁部
Ｈ  ギャップ
【図１】
0003220619.tif 000003
【図２】
0003220619.tif 000004
【図３】
0003220619.tif 000005
【図４】
0003220619.tif 000006
【図５】
0003220619.tif 000007
【図６】
0003220619.tif 000008